(57)【要約】【課題】区画された二つの空間部の通気性を確保しつつ、ドア部材においてデザインの自由度を向上させるドア枠構造を得る。【解決手段】ドア枠１４には、壁部材１２との間に隙間３６を形成して空間部１８と空間部２０を連通させる溝部３４が形成されている。この溝部３４により、ドア枠１４と壁部材１２との間に形成された隙間３６を通じて空間部１８と空間部２０とが連通し、空間部１８と空間部２０の間で通気が可能となる（矢印Ｄ）。ここで、溝部３４は、ドア枠１４の内面３３側に設けられている。つまり、当該溝部３４は、ドア部材１６の意匠面側には設けられていない。このため、当該溝部３４を設けることによって、ドア部材１６のデザインが拘束されることはなく、ドア部材１６のデザインの自由度を向上させることができる。【選択図】図２
2019094648.tif 000002
【特許請求の範囲】
【請求項１】
建物の屋内の空間を第１空間部と第２空間部に区画する壁部材と、
前記壁部材に形成された開口部を開閉可能とするドア部材と、
前記ドア部材の外側に位置し、前記開口部の内縁部に設けられたドア枠と、
前記ドア枠に設けられ、前記第１空間部と前記第２空間部を連通可能とする連通手段と、
を有するドア枠構造。
【請求項２】
前記連通手段は、前記ドア枠の前記壁部材側に設けられ、前記第１空間部と前記第２空間部を連通させる溝部を含んで構成されている請求項１に記載のドア枠構造。
【請求項３】
前記連通手段は、前記ドア枠の前記ドア部材側に設けられ、前記第１空間部と前記第２空間部を連通させる溝部を含んで構成されている請求項１に記載のドア枠構造。
【請求項４】
前記ドア枠は、
前記壁部材の端面と当接するウエブ部と、
前記ウエブ部と繋がり前記第１空間部側で前記壁部材と当接する第１フランジ部と、
前記ウエブ部と繋がり前記第２空間部側で前記壁部材と当接する第２フランジ部と、
を含んで構成され、
前記溝部は、前記第１フランジ部、前記ウエブ部及び前記第２フランジ部において、水平方向に沿って連続して形成されている請求項２に記載のドア枠構造。
【請求項５】
前記ドア枠は、
前記壁部材の端面と当接するウエブ部と、
前記ウエブ部と繋がり前記第１空間部側で前記壁部材と当接する第１フランジ部と、
前記ウエブ部と繋がり前記第２空間部側で前記壁部材と当接する第２フランジ部と、
前記ウエブ部を間において前記第１フランジ部から当該第１フランジ部の反対側へ延出する第１延出部と、
前記ウエブ部を間において前記第２フランジ部から当該第２フランジ部の反対側へ延出する第２延出部と、
を含んで構成され、
前記溝部は、前記第１延出部、前記ウエブ部及び前記第２延出部によって水平方向に沿って連続して形成されている請求項３に記載のドア枠構造。
【請求項６】
前記溝部は、鉛直方向に沿って連続して形成されている請求項２〜請求項５の何れか１項に記載のドア枠構造。
【請求項７】
前記溝部は、鉛直方向に沿って断続的に形成されている請求項２〜請求項５の何れか１項に記載のドア枠構造。
【請求項８】
前記連通手段は、前記溝部によって形成され空気が流動可能な流路の面積を調整可能な調整部材をさらに含んで構成されている請求項６又は請求項７に記載のドア枠構造。
【請求項９】
前記調整部材は、鉛直方向に沿ってスライド可能に設けられ、かつ側面視で前記溝部とラップ可能としている請求項８に記載のドア枠構造。
【発明の詳細な説明】
【技術分野】
【０００１】
本発明は、ドア枠構造に関する。
【背景技術】
【０００２】
例えば、下記特許文献１には、全館空調建具（以下、「ドア部材」という）に関する技術が開示されている。このドア部材は、中央に配置される中央板と、中央板の左右両側に配置される一対の端部用板と、中央板と一対の端部用板を接合する接合部材と、を含んで構成されている。
【０００３】
また、中央板の両側端部には、横断面視で凹状に形成された凹状部が設けられており、端部用板の中央板側の側端部には、横断面視で凸状に形成された凸状部が形成されている。この凸状部が凹状部内に入り込んだ状態で、中央板と一対の端部用板との間にはスリットが形成され、このスリットを通じて通気性を得るようになっている。
【先行技術文献】
【特許文献】
【０００４】
【特許文献１】特開２０１５−１４０５４７号公報
【発明の概要】
【発明が解決しようとする課題】
【０００５】
しかしながら、この先行技術では、ドア部材にスリットが形成されるため、ドア部材においてデザインの自由度が制限されてしまう。
【０００６】
本発明は上記事実に鑑みてなされたものであり、区画された二つの空間部の通気性を確保しつつ、ドア部材においてデザインの自由度を向上させるドア枠構造を提供することを目的とする。
【課題を解決するための手段】
【０００７】
上記目的を達成するために、第１の態様に係るドア枠構造は、建物の屋内の空間を第１空間部と第２空間部に区画する壁部材と、前記壁部材に形成された開口部を開閉可能とするドア部材と、前記ドア部材の外側に位置し、前記開口部の内縁部に設けられたドア枠と、前記ドア枠に設けられ、前記第１空間部と前記第２空間部を連通可能とする連通手段と、を有している。
【０００８】
第１の態様に係るドア枠構造では、建物の屋内の空間が壁部材によって、第１空間部と第２空間部に区画されている。この壁部材には開口部が形成され、当該開口部はドア部材によって開閉可能とされている。ドア部材の外側には、開口部の内縁部にドア枠が設けられており、このドア枠には、壁部材との間に隙間を形成して第１空間部と第２空間部を連通可能とする連通手段が設けられている。
【０００９】
本態様では、この連通手段により、ドア枠と壁部材との間に形成された隙間を通じて第１空間部と第２空間部とが連通し、第１空間部と第２空間部の間で通気が可能となる。ここで、連通手段は、ドア枠に設けられている。このため、連通手段を設けることによって、ドア部材のデザインが拘束されることはなく、ドア部材のデザインの自由度を向上させることができる。
【００１０】
第２の態様に係るドア枠構造は、第１の態様に係るドア枠構造において、前記連通手段は、前記ドア枠の前記壁部材側に設けられ、前記第１空間部と前記第２空間部を連通させる溝部を含んで構成されている。
【００１１】
第２の態様に係るドア枠構造では、連通手段は、ドア枠の壁部材側に設けられており、第１空間部と第２空間部を連通させる溝部が形成されている。この溝部によって、壁部材との間に隙間を形成することができる。
【００１２】
第３の態様に係るドア枠構造は、第１の態様に係るドア枠構造において、前記連通手段は、前記ドア枠の前記ドア部材側に設けられ、前記第１空間部と前記第２空間部を連通させる溝部を含んで構成されている。
【００１３】
第３の態様に係るドア枠構造では、連通手段は、ドア枠のドア部材側に設けられており、第１空間部と第２空間部を連通させる溝部が形成されている。この溝部によって、ドア部材との間に隙間を形成することができる。
【００１４】
第４の態様に係るドア枠構造は、第２の態様に係るドア枠構造において、前記ドア枠は、前記壁部材の端面と当接するウエブ部と、前記ウエブ部と繋がり前記第１空間部側で前記壁部材と当接する第１フランジ部と、前記ウエブ部と繋がり前記第２空間部側で前記壁部材と当接する第２フランジ部と、を含んで構成され、前記溝部は、前記第１フランジ部、前記ウエブ部及び前記第２フランジ部において、水平方向に沿って連続して形成されている。
【００１５】
第４の態様に係るドア枠構造では、ドア枠は、ウエブ部と、当該ウエブとそれぞれ繋がる第１フランジ部及び第２フランジ部と、を含んで構成されている。当該ウエブ部は、壁部材の端面と当接しており、第１フランジ部は第１空間部側で壁部材と当接し、第２フランジ部は第２空間部側で壁部材と当接している。
【００１６】
つまり、ドア枠は、水平方向に沿って切断した断面形状（横断面形状）において、例えば、壁部材側へ向かって開口する略Ｕ字状を成している。そして、溝部は、ドア枠の壁部材側に設けられ、第１フランジ部、ウエブ部及び第２フランジ部において、水平方向に沿って連続して形成されている。
【００１７】
また、ドア枠の第１フランジ部及び第２フランジ部は壁部材と当接するため、第１フランジ部及び第２フランジ部は、正面視で壁部材とラップ（重なる）することとなる。したがって、ドア枠の壁部材側に溝部を形成することで、当該溝部はドア枠の正面視では露出しないため、外観上好ましい。
【００１８】
第５の態様に係るドア枠構造は、第３の態様に係るドア枠構造において、前記ドア枠は、前記壁部材の端面と当接するウエブ部と、前記ウエブ部と繋がり前記第１空間部側で前記壁部材と当接する第１フランジ部と、前記ウエブ部と繋がり前記第２空間部側で前記壁部材と当接する第２フランジ部と、前記ウエブ部を間において前記第１フランジ部から当該第１フランジ部の反対側へ延出する第１延出部と、前記ウエブ部を間において前記第２フランジ部から当該第２フランジ部の反対側へ延出する第２延出部と、を含んで構成され、前記溝部は、前記第１延出部、前記ウエブ部及び前記第２延出部によって水平方向に沿って連続して形成されている。
【００１９】
第５の態様に係るドア枠構造では、ドア枠は、ウエブ部と、当該ウエブとそれぞれ繋がる第１フランジ部及び第２フランジ部と、第１延出部及び第２延出部と、を含んで構成されている。当該ウエブ部は、壁部材の端面と当接しており、第１フランジ部は第１空間部側で壁部材と当接し、第２フランジ部は第２空間部側で壁部材と当接している。また、第１延出部は、ウエブ部を間において第１フランジ部から当該第１フランジ部の反対側へ延出し、第２延出部は、ウエブ部を間において第２フランジ部から当該第２フランジ部の反対側へ延出している。
【００２０】
つまり、ドア枠は、水平方向に沿って切断した断面形状（横断面形状）において、例えば、壁部材側及びドア部材側へ向かってそれぞれ開口する略Ｈ字状を成している。そして、溝部は、ドア枠のドア部材側に設けられ、第１延出部、ウエブ部及び第２延出部によって、水平方向に沿って連続して形成されている。このように、ドア枠のドア部材側に溝部を形成することで、当該溝部はドア枠の正面視では露出しないため、外観上好ましい。
【００２１】
第６の態様に係るドア枠構造は、第２の態様〜第５の態様の何れか１の態様に係るドア枠構造において、前記溝部は、鉛直方向に沿って連続して形成されている。
【００２２】
例えば、溝部を形成する際に、ドア枠の鉛直方向に沿って、断続的に形成される場合と連続的に形成される場合があるが、第６の態様に係るドア枠構造では、当該溝部は、鉛直方向に沿って連続して形成されている。これにより、当該溝部が断続的に形成された場合と比較して、溝部によって形成された流路の面積（流路面積）を増大させることができる。
【００２３】
第７の態様に係るドア枠構造は、第２の態様〜第５の態様の何れか１の態様に係るドア枠構造において、前記溝部は、鉛直方向に沿って断続的に形成されている。
【００２４】
第７の態様に係るドア枠構造では、当該溝部が、鉛直方向に沿って断続的に形成されることによって、当該溝部が連続的に形成された場合と比較して、ドア枠自体の剛性を高くすることができる。
【００２５】
第８の態様に係るドア枠構造は、第６の態様又は第７の態様に係るドア枠構造において、前記連通手段は、前記溝部によって形成され空気が流動可能な流路の面積を調整可能な調整部材をさらに含んで構成されている。
【００２６】
第８の態様に係るドア枠構造では、連通手段は調整部材をさらに含んで構成されており、溝部によって形成された流路の面積（流路面積）を調整可能としている。つまり、調整部材によって溝部によって形成された流路内を通過する空気の流量を変えることができる。
【００２７】
第９の態様に係るドア枠構造は、第５の態様に係るドア枠構造において、鉛直方向に沿ってスライド可能に設けられ、かつ側面視で前記溝部とラップ可能としている。
【００２８】
第９の態様に係るドア枠構造では、調整部材は、鉛直方向に沿ってスライド可能に設けられており、側面視で溝部とラップ可能としている。つまり、調整部材と溝部とのラップ量（重なり量）に応じて、溝部によって形成された流路の面積（流路面積）が調整される。
【発明の効果】
【００２９】
以上説明したように、第１の態様に係るドア枠構造は、区画された二つの空間部の通気性を確保しつつ、ドア部材においてデザインの自由度を向上させることができる、という優れた効果を有する。
【００３０】
第２の態様に係るドア枠構造は、ドア枠に溝部を形成するだけで、ドア枠と壁部材との間に隙間を形成することができる、という優れた効果を有する。
【００３１】
第３の態様に係るドア枠構造は、ドア枠に溝部を形成するだけで、ドア枠とドア部材との間に隙間を形成することができる、という優れた効果を有する。
【００３２】
第４の態様に係るドア枠構造は、溝部がドア枠の正面視で見えないようにすることで、外観を向上させることができる、という優れた効果を有する。
【００３３】
第５の態様に係るドア枠構造は、溝部がドア枠の正面視で見えないようにすることで、外観を向上させることができる、という優れた効果を有する。
【００３４】
第６の態様に係るドア枠構造は、溝部がドア枠に対して断続的に形成された場合と比較して、溝部によって形成された流路の面積を増大させることができる、という優れた効果を有する。
【００３５】
第７の態様に係るドア枠構造は、溝部がドア枠に対して連続的に形成された場合と比較して、ドア枠自体の剛性を高くすることができる、という優れた効果を有する。
【００３６】
第８の態様に係るドア枠構造は、調整部材により溝部によって形成された流路内を通過する空気の流量を変えることで、風切り音や音漏れの発生を抑制することができる、という優れた効果を有する。
【００３７】
第９の態様に係るドア枠構造は、調整部材と溝部とのラップ量に応じて、溝部によって形成された流路の面積を調整し、当該溝部によって形成された流路内を通過する空気の流量を変えることができる、という優れた効果を有する。
【図面の簡単な説明】
【００３８】
【図１】第１実施形態に係るドア枠構造を示す正面図である。
【図２】第１実施形態に係るドア枠構造を示す断面斜視図である。
【図３】第１実施形態に係るドア枠構造において、（Ａ）は、図１のＡ−Ａ線に沿って切断したときの断面図であり、（Ｂ）は、図１のＢ−Ｂ線に沿って切断したときの断面図である。
【図４】第１実施形態に係るドア枠構造において、図１で示す領域Ｂを拡大した一部拡大正面図である。
【図５】第１実施形態に係るドア枠構造において、図１で示す矢印Ａ方向から見た矢視図である。
【図６】第１実施形態に係るドア枠構造の変形例を示す図２に対応する断面斜視図である。
【図７】第１実施形態に係るドア枠構造の変形例を示す図１の領域Ｂを拡大した一部拡大正面図である。
【図８】第１実施形態に係るドア枠構造の変形例を示す図１の矢印Ａ方向から見た矢視図である。
【図９】第２実施形態に係るドア枠構造を示す図２に対応する断面斜視図である。
【図１０】第２実施形態に係るドア枠構造を示す図３（Ａ）に対応する断面図である。
【図１１】第２実施形態に係るドア枠構造において、図１０で示す矢印Ｅ方向から見た矢視図である。
【図１２】第３実施形態に係るドア枠構造を示す図２に対応する断面斜視図である。
【図１３】第３実施形態に係るドア枠構造において、（Ａ）は、図１のＡ−Ａ線に沿って切断したときの断面図であり、（Ｂ）は、図１のＢ−Ｂ線に沿って切断したときの断面図である。
【図１４】第３実施形態に係るドア枠構造を示す図１の領域Ｂを拡大した一部拡大正面図である。
【図１５】第３実施形態に係るドア枠構造において、溝部が全開された状態を示す、図１３（Ｂ）で示す矢印Ｆ方向から見た矢視図である。
【図１６】第３実施形態に係るドア枠構造において、溝部が一部開放された状態を示す図１５に対応する矢視図である。
【図１７】第３実施形態に係るドア枠構造において、溝部が全閉された状態を示す図１５に対応する矢視図である。
【発明を実施するための形態】
【００３９】
以下に図面を参照しながら、本発明の実施の一形態に係るドア枠構造について説明する。
【００４０】
＜第１実施形態＞
（ドア枠構造の構成）
【００４１】
まず、図１〜図５を参照して本実施の第１実施形態に係るドア枠構造１０の構成について説明する。図１には、本実施の形態に係るドア枠構造１０が適用されたドア枠１４を備えたドア部材１６の正面図が示されている。また、図２には、本実施の形態に係るドア枠構造１０を構成する壁部材１２、ドア枠１４及びドア部材１６を壁部材１２側の斜め前方側から見た断面斜視図が示されている。さらに、図３（Ａ）には、図１に示すＡ−Ａ線に沿って切断したときの断面図が示されており、図３（Ｂ）には、図１に示すＢ−Ｂ線に沿って切断したときの断面図が示されている。さらにまた、図４は、図１で示す領域Ｂを拡大した一部拡大正面図が示されており、図５は、ドア枠構造１０を図１で示す矢印Ａ方向から見た矢視図が示されている。
【００４２】
本実施形態におけるドア枠構造１０は、図２に示されるように、壁部材１２、ドア枠１４及びドア部材１６を含んで構成されており、壁部材１２によって、例えば、居室と廊下等、隣接する二つの空間部（第１空間部）１８、空間部（第２空間部）２０が区画されている。
【００４３】
また、図１に示されるように、壁部材１２には、開口部２２が形成されており、当該開口部２２はドア部材１６によって開閉可能とされている。ドア部材１６の下端１６Ａと床部２４の間には、いわゆるアンダーカット部２６が設けられており、当該アンダーカット部２６を通じて、空間部１８（図２参照）と空間部２０（図２参照）とが連通している。
【００４４】
一方、開口部２２の内側には、ドア枠１４が設けられている。図２に示されるように、ドア枠１４は、水平方向に沿って切断した断面形状（横断面形状）が、壁部材１２側へ向かって開口するＵ字状を成している。具体的に説明すると、ドア枠１４は、当該ドア枠１４の中央部を構成するウエブ部２８と、ウエブ部２８の両側に位置してドア枠１４の側部を構成するフランジ部（第１フランジ部）３０、フランジ部（第２フランジ部）３２と、を含んで構成されている。
【００４５】
図３（Ｂ）に示されるように、当該ウエブ部２８は、壁部材１２の側端１２Ａに当接している。また、ウエブ部２８には、ドア部材１６の閉止方向の移動を規制する戸当たり１７が設けられている。一方、フランジ部３０は、空間部１８側で壁部材１２の裏面１２Ｂに当接しており、フランジ部３２は、空間部２０側で壁部材１２の表面１２Ｃに当接している。なお、ここでの裏面１２Ｂ、表面１２Ｃは、説明の都合上、便宜的に命名したものである。
【００４６】
図２及び図３（Ａ）、（Ｂ）に示されるように、壁部材１２の側端１２Ａに当接するウエブ部２８の内面２８Ａ、壁部材１２の裏面１２Ｂに当接するフランジ部３０の内面３０Ａ及び壁部材１２の表面１２Ｃに当接するフランジ部３２の内面３２Ａには、略水平方向に沿って溝部（連通手段）３４が連続して形成されている。この溝部３４を通じて空間部１８と空間部２０とが連通している。
【００４７】
なお、この溝部３４は、図１に示すドア部材１６の角部（領域Ｃ）を残して、ドア部材１６の回転中心Ｐ側の側端部１６Ｂの略全域に亘って略鉛直方向に沿って形成されている（図５参照）。また、当該溝部３４は、ドア部材１６の角部（領域Ｃ）を残して、ドア部材１６の上端部１６Ｃ及び他の側端部１６Ｄ側（ドア部材１６の自由端側）にも側端部１６Ｂと同様に、略全域に亘ってそれぞれ形成されてもよい。
【００４８】
（ドア枠構造の作用及び効果）
次に、第１実施形態に係るドア枠構造１０の作用及び効果について説明する。
【００４９】
本実施形態では、図２に示されるように、ドア枠１４には、壁部材１２との間に隙間３６を形成して空間部１８と空間部２０を連通させる溝部３４が形成されている。この溝部３４を通じて空間部１８と空間部２０とが連通し、空間部１８と空間部２０の間で通気が可能となる（矢印Ｄ）。
【００５０】
このように、ドア枠１４に溝部３４を形成し、空間部１８と空間部２０とを連通させるようにすることで、図１に示すドア部材１６の下端１６Ａと床部２４の間に設けられたアンダーカット部２６以外に、図２に示されるように、空間部１８と空間部２０を通気させる流路３８を設けることができる。これにより、本実施形態では、風切り音の発生を抑制することができる。
【００５１】
また、ドア枠１４の横断面形状が略Ｕ字状を成し、ドア枠１４の形状に沿って溝部３４を形成し、空気が流動可能な流路３８を確保することで、図示はしないが、流路が直線状に形成された場合と比較して、空気が流動する際に減衰効果を得ることができる。なお、ここでは、空気の流れ（矢印Ｄ）は、空間部１８から空間部２０となっているが、これは一例であり、空気は、空間部１８と空間部２０の間を往来可能となっている。
【００５２】
ここで、溝部３４は、ドア枠１４の内面３３側に設けられている。つまり、図１及び図４に示されるように、当該溝部３４は、ドア部材１６の意匠面側には設けられていない。このため、当該溝部３４を設けることによって、ドア部材１６のデザインが拘束されることはなく、ドア部材１６のデザインの自由度を向上させることができる。
【００５３】
さらに具体的に説明すると、本実施形態では、図３（Ｂ）に示されるように、ドア枠１４の横断面形状が略Ｕ字状を成し、ドア枠１４のフランジ部３０の内面３０Ａ及びフランジ部３２の内面３２Ａは壁部材１２と当接する。つまり、フランジ部３０、フランジ部３２は、正面視で壁部材１２とラップ（重なる）することとなる。
【００５４】
このため、図３（Ａ）に示されるように、ドア枠１４の壁部材１２側に溝部３４を形成することで、図１及び図４に示されるように、当該溝部３４はドア枠１４の正面視では露出しないため、外観上好ましい。
【００５５】
以上のような構成により、本実施形態によれば、区画された二つの空間部１８、２０（図２参照）の通気性を確保しつつ、ドア部材１６においてデザインの自由度を向上させることができる。
【００５６】
さらに、本実施形態では、ドア枠１４に溝部３４を形成するだけで、ドア枠１４と壁部材１２との間に隙間３６を形成することができるため、簡単な構造で低コストでの実現が可能である。
【００５７】
ところで、近年、建物において、全館空調システムが採用されつつある。この全館空調システムでは、屋内における温度差を抑制し温度を一定に維持するため、屋内の空気を循環させるように構成されている。
【００５８】
このため、本実施形態では、図２に示されるように、屋内の空間を空間部１８と空間部２０に区画する壁部材１２に設けられたドア枠１４に溝部３４が形成されている。これにより、当該溝部３４によって空間部１８と空間部２０を通気させる流路３８を確保することができ、全館空調システムが採用される建物において、当該流路３８を吹出空気のリターン経路として利用することができる。なお、隙間３６と流路３８は略同じ領域を指すが、説明の都合上、隙間３６と流路３８を区別している。
【００５９】
さらにまた、本実施形態では、溝部３４は、ドア部材１６の角部Ｃ（図１参照）を残して、ドア部材１６の側端部１６Ｂの略全域に亘って略鉛直方向に沿って形成されている。このため、当該溝部３４がドア枠１４の略鉛直方向に沿って断続的に形成された場合と比較して、溝部３４と壁部材１２の間に形成された流路３８の面積を増大させることができる。
【００６０】
なお、これは、当該溝部３４がドア枠１４に対して断続的に形成された場合を否定するものではない。例えば、図６に示されるように、ドア枠４０において、溝部４２が、ドア部材１６の角部Ｃ（図１参照）を残して、ドア枠４０の略鉛直方向に沿って断続的に形成されてもよい。さらに、当該溝部４２は、図１に示すドア部材１６の上端部１６Ｃ及び側端部１６Ｄ側にも断続的に形成されてもよい。
【００６１】
この場合、図２、図４及び図５に示すドア枠１４と比較して、図６〜図８に示されるように、ドア枠４０では溝部４２が形成されている面積が小さい分、ドア枠１４自体の剛性を高くすることができる。また、ドア枠１４と比較して、ドア枠４０では、壁部材１２と当接している面積が増大するため、結果的にドア枠１４の剛性をさらに高くすることができる。
【００６２】
なお、図６には、図２に示すドア枠１４の変形例を示す断面斜視図が示されており、図７には、図４に示すドア枠１４の変形例を示す図１の領域Ｂを拡大した一部拡大正面図が示されている。また、図８には、図５に示すドア枠１４の変形例を示す図１の矢印Ａ方向から見た矢視図が示されている。
【００６３】
＜第２実施形態＞
次に、図９〜図１０を参照して第２実施形態に係るドア枠構造５０について説明する。なお、第１実施形態と略同じ内容については、同じ符号を用いて説明を割愛する。
【００６４】
ここで、図９には、第２実施形態に係るドア枠構造５０が適用されたドア枠５２を示す断面斜視図が示されており、図１０は、当該ドア枠構造５０を示す図３（Ａ）に対応する断面図が示されている。また、図１１は、ドア枠構造５０を図１０で示す矢印Ｅ方向から見た矢視図が示されている。
【００６５】
前述したように、第１実施形態では、図２に示されるドア枠構造１０において、ドア枠１４は、壁部材１２との間で流路３８を確保しているが、壁部材１２及びドア部材１６によって区画された空間部１８と空間部２０を連通させることができればよいため、これに限るものではない。
【００６６】
例えば、第１実施形態では、図２に示されるように、ドア枠１４の横断面形状が、壁部材１２側へ向かって開口するＵ字状を成している。これに対して、第２実施形態では、図９及び図１０に示されるように、ドア枠５２の横断面形状は、壁部材１２側及びドア部材１６側へ向かってそれぞれ開口するＨ字状を成している。
【００６７】
具体的に説明すると、本実施形態におけるドア枠５２は、ドア枠１４（図２参照）と同様に、当該ドア枠５２の中央部を構成するウエブ部２８と、ウエブ部２８の両側に位置してドア枠５２の側部を構成するフランジ部３０、フランジ部３２と、を含んで構成されている。
【００６８】
さらに、本実施形態では、ドア枠５２は、ウエブ部２８を間においてフランジ部３０から当該フランジ部３０の反対側へ延出する延出片（第１延出部）５４と、ウエブ部２８を間においてフランジ部３２から当該フランジ部３２の反対側へ延出する延出片（第２延出部）５６と、をさらに含んで構成されている。
【００６９】
そして、ドア枠５２には、ドア部材１６側において、ウエブ部２８との間に隙間５８を設けた状態で、縦壁６０が設けられており、当該縦壁６０に戸当たり１７が設けられている。この縦壁６０と延出片５４、ウエブ部２８、延出片５６との間で溝部６２が形成されている。
【００７０】
本実施形態におけるドア枠５２では、ドア部材１６側に溝部６２が形成されているため、図１１に示されるように、ドア部材１６から壁部材１２側（図１０に示す矢印Ｅ方向）へ向かって見ると、溝部６２は目視可能となるが、ドア枠５２の正面視では露出しない。
【００７１】
＜第３実施形態＞
次に、第３実施形態について説明する。なお、第１実施形態と略同じ内容については、同じ符号を用いて説明を割愛する。
【００７２】
ここで、図１２には、第３実施形態に係るドア枠構造７０が適用されたドア枠７２を示す断面斜視図が示されている。また、図１３（Ａ）、（Ｂ）には、当該ドア枠構造７０を示す図３（Ａ）、（Ｂ）に対応する断面図がそれぞれ示されており、図１４には、ドア枠構造７０を示す図１の領域Ｂを拡大した一部拡大正面図が示されている。さらに、図１５には、ドア枠構造７０において、ドア枠７２に形成された溝部４２が全開された状態を示す、図１３（Ｂ）の矢印Ｆ方向から見た矢視図が示されている。さらにまた、図１６には、当該溝部４２が一部開放された状態を示す図１５に対応する矢視図が示されており、図１７には、当該溝部４２が全閉された状態を示す図１５に対応する矢視図が示されている。
【００７３】
本実施形態では、図１２に示されるように、ドア枠構造７０において、ドア枠７２には、溝部４２によって形成され空気が流動可能な流路７４の面積（流路面積）を調整可能な一対の調整部材７６がさらに設けられている。なお、この構成は、第１実施形態及び第２実施形態においても適用可能である。
【００７４】
図１３（Ａ）、（Ｂ）に示されるように、本実施形態におけるドア枠構造７０では、ドア枠７２の横断面形状が、壁部材１２側へ向かって開口するＵ字状を成している。ドア枠７２は、第１実施形態におけるドア枠１４と同様に、ドア枠１４の中央部を構成するウエブ部２８と、ドア枠１４の両側部を構成するフランジ部３０、３２と、を含んで構成されている。そして、ドア枠７２では、溝部４２が、図１に示すドア部材１６の角部Ｃを残して、ドア部材１６の側端部１６Ｂの略鉛直方向に沿って断続的に形成されている。
【００７５】
さらに、本実施形態では、図１２に示されるように、フランジ部３０、３２の先端側に、横断面視で互いに対向する側を開口とする略Ｕ字状の切欠き部７８がドア部材１６の鉛直方向に沿ってそれぞれ形成されている。この切欠き部７８内には、長板状の調整部材７６がそれぞれ挿入可能とされており、一対の調整部材７６は、切欠き部７８内を鉛直方向（高さ方向）に沿ってそれぞれスライド可能とされている。
【００７６】
ここで、一対の調整部材７６には、ドア枠７２の鉛直方向に沿って形成された複数の溝部４２の長さに合わせて、当該溝部４２と側面視でラップする（重なる）ように複数の切欠き部７６Ａがそれぞれ形成されている。また、切欠き部７６Ａと切欠き部７６Ａの間は、調整部材７６の幅が広くなっており、この部分は、溝部４２と重なる閉塞部７６Ｂとされている。
【００７７】
図１５に示されるように、調整部材７６を鉛直方向に沿ってスライドさせ、調整部材７６の切欠き部７６Ａとドア枠７２の溝部４２の高さ方向の位置が重なることで、溝部４２は全開とされ、当該溝部４２を通じて空間部１８と空間部２０とが連通することとなる。
【００７８】
また、この構成においても、図１４に示されるように、溝部４２及び調整部材７６は、正面視でドア枠７２のフランジ部３０（図１２参照）、３２とラップ（重なる）することとなる。このため、当該溝部４２及び調整部材７６はドア枠７２の正面視では露出しない。
【００７９】
また、図１７に示されるように、調整部材７６の閉塞部７６Ｂとドア枠７２の溝部４２の高さ方向の位置が重なることで、溝部４２は閉塞されることとなる。そして、図１６に示されるように、調整部材７６の切欠き部７６Ａの一部とドア枠７２の溝部４２の高さ方向の位置が重なることで、溝部４２は一部が開放され、当該溝部４２を通じて空間部１８と空間部２０とが連通する。この場合、図１５に示されるように、溝部４２が全開された状態と比較すると、溝部４２によって形成された流路７４の面積（流路面積）が狭くなり、当該流路７４内を通過する空気の流量が少なくなる。
【００８０】
換言すると、本実施形態によれば、調整部材７６によって、溝部４２の流路面積を変えることができ、当該流路７４内を通過する空気の流量を変えることができる。これにより、風切り音や音漏れの発生を抑制することができる。また、流路面積は、空間部１８、２０の仕様によっても異なるため、このように、溝部４２の流路面積を変えるようにすることで、ドア枠７２の汎用性が拡大する。
【００８１】
なお、本実施形態では、図２に示されるように、ドア枠７２のフランジ部３０、３２の先端側に切欠き部７８がそれぞれ形成され、当該切欠き部７８内に調整部材７６がそれぞれ挿入可能とされているが、溝部４２が閉塞できればよいため、調整部材７６は一つでもよく、また、ウエブ部２８側に設けられてもよい。
【００８２】
さらに、以上説明した本実施の形態の構成は一例であり、本発明は、上記に限定されるものでなく、上記以外にも、その主旨を逸脱しない範囲内において種々変形して実施可能であることは勿論である。
【符号の説明】
【００８３】
１０    ドア枠構造
１２    壁部材
１２Ａ  側端（壁部材の端面）
１４    ドア枠
１６    ドア部材
１８    空間部（第１空間部）
２０    空間部（第２空間部）
２２    開口部
２８    ウエブ部（ドア枠）
３０    フランジ部（第１フランジ部、ドア枠）
３２    フランジ部（第２フランジ部、ドア枠）
３４    溝部（連通手段）
３６    隙間
３８    流路
４０    ドア枠
４２    溝部（連通手段）
５０    ドア枠構造
５２    ドア枠
５４    延出片（第１延出部、ドア枠）
５６    延出片（第２延出部、ドア枠）
５８    隙間
６２    溝部（連通手段）
７０    ドア枠構造
７２    ドア枠
７４    流路
７６    調整部材（連通手段）
【図１】
2019094648.tif 000003
【図２】
2019094648.tif 000004
【図３】
2019094648.tif 000005
【図４】
2019094648.tif 000006
【図５】
2019094648.tif 000007
【図６】
2019094648.tif 000008
【図７】
2019094648.tif 000009
【図８】
2019094648.tif 000010
【図９】
2019094648.tif 000011
【図１０】
2019094648.tif 000012
【図１１】
2019094648.tif 000013
【図１２】
2019094648.tif 000014
【図１３】
2019094648.tif 000015
【図１４】
2019094648.tif 000016
【図１５】
2019094648.tif 000017
【図１６】
2019094648.tif 000018
【図１７】
2019094648.tif 000019